(57)【要約】  混合用バケツは、バケツの内部容積を画定する長手方向に分離された下側のバケツの縁と上側のバケツの縁をともなう円筒状の側壁を有する。横方向に配向されたバケツの底面は、側壁に及び、バケツの内部容積を上側のバケツ容積と下側のバケツ容積とに分離する。少なくとも１つの開口が側壁に配置され、周囲環境と下側のバケツ容積との間に実質的に横方向に配向された出入り口が提供される。少なくとも１つの横方向に配向された通路が、少なくとも１つの開口から延在し、下側のバケツ容積内に配置される。細長い固定用構造物は、固定部本体によって横方向に分離された第１の固定部端部および第２の固定部端部を有する。固定用構造物は、少なくとも部分的に通路内部に位置付けられた固定部本体によって、バケツを係合する。固定用構造物がバケツと係合されている間に、固定力が固定用構造物にかけられ、固定力は、バケツにかけられる混合力に対抗する。【選択図】図１
2013516318.tif 000002
【特許請求の範囲】
【請求項１】
バケツの内部容積を画定する、長手方向に上側のバケツの縁と下側のバケツの縁とに分離された側壁を有する、混合用バケツを安定化させるための装置において、
前記側壁に及び、前記バケツの内部容積を上側のバケツ容積と下側のバケツ容積とに分離し、前記上側のバケツ容積は、混合される材料を収容するように構成された、横方向に配向されたバケツの底面と
前記側壁に配置され、周囲環境と前記下側のバケツ容積との間に実質的に横方向に配向された出入り口を提供する、少なくとも１つの開口と、
少なくとも１つの開口から延在し、前記下側のバケツ容積内に配置される、少なくとも１つの横方向に配向された通路と、
固定部本体により横方向に分離された第１の固定部端部と第２の固定部端部とを有し、前記固定用構造物が、前記通路内に位置付けられた少なくとも前記固定部本体の一部により前記バケツを取り外し可能に係合する細長い固定用構造物と、を備える装置であって、
前記固定用構造物が前記バケツと係合されている間に、前記周囲環境において固定力が前記固定用構造物にかけられ、前記固定力は、前記混合される材料により前記バケツにかけられる混合力に対抗することを特徴とする装置。
【請求項２】
請求項１に記載の装置において、前記開口が、前記下側のバケツの縁を横切って底面が開いている開口を形成することを特徴とする装置。
【請求項３】
請求項１に記載の装置において、前記固定力が、使用者により前記固定用構造物の上に取り外し可能にかけられる重量から生じることを特徴とする装置。
【請求項４】
請求項１に記載の装置において、前記固定力が、前記周囲環境において別の表面に接続された前記固定用構造物から生じることを特徴とする装置。
【請求項５】
請求項１に記載の装置において、少なくとも２つの開口を含み、前記開口のうちの２つは、前記第１の固定部端部および前記第２の固定部端部が前記周囲環境内に配置される一方で、前記固定部本体の部分を同時に受け入れるように前記側壁上に整列することを特徴とする装置。
【請求項６】
請求項１に記載の装置において、前記固定用構造物は、ある長さの標準建設用製品であることを特徴とする装置。
【請求項７】
請求項１に記載の装置において、前記通路は、前記バケツ底面と一体的に形成されることを特徴とする装置。
【請求項８】
請求項１に記載の装置において、前記固定用構造物が前記バケツと係合される一方で、少なくとも前記第１の固定部端部と前記第２の固定部端部とのうちの少なくとも１つが、前記側壁を越えて半径方向外向きに配置され、前記固定部本体は、前記側壁の半径方向内側に配置されることを特徴とする装置。
【請求項９】
請求項１に記載の装置において、前記側壁は円筒状であることを特徴とする装置。
【請求項１０】
バケツの内部容積を画定する、長手方向に下側のバケツの縁と上側のバケツの縁とに分離された側壁を有する、混合用バケツを安定化させるための方法において、
前記バケツの内部容積を、前記側面に及ぶ横方向に配向されたバケツ底面を用いて、上側のバケツ容積と下側のバケツ容積とに分離するステップと、
前記側壁に配置され、周囲環境と前記下側のバケツ容積との間に実質的に横方向に配向された出入り口を提供する、少なくとも１つの開口を提供するステップと、
少なくとも１つの開口から延在し、前記下側のバケツ容積内に配置される、少なくとも１つの横方向に配向した通路を提供するステップと、
混合される材料を前記上側のバケツの容積内に収容するステップと、
固定部本体によって横方向に分離された、第１の固定部端部および第２の固定部端部を有する、細長い固定用構造物を提供するステップと、
少なくとも前記固定部本体の一部を前記通路内に位置付けることによって、前記バケツを前記固定用構造物に係合するステップと、
前記固定用構造物が前記バケツと係合されている間に、固定力を前記周囲環境で前記固定用構造物にかけるステップと、
回転エネルギーを、前記混合される材料にかけるステップと、
混合力を、前記混合される材料が入った前記バケツにかけるステップと、
前記バケツを安定化するために、前記混合力に前記固定力で対抗するステップと、を含むことを特徴とする方法。
【請求項１１】
請求項１０に記載の方法において、前記固定用構造物に固定力をかけるステップは、前記周囲環境内で前記固定用構造物の上に一時的に重量をかけるステップを含むことを特徴とする方法。
【請求項１２】
請求項１０に記載の方法において、前記固定用構造物に固定力をかけるステップは、前記周囲環境内で、前記固定用構造物を別の表面に接続するステップを含むことを特徴とする方法。
【請求項１３】
請求項１０に記載の方法において、前記側壁上の２つの開口を整列させるステップを含み、前記バケツを係合するステップは、前記第１の固定部端部、および前記第２の固定部端部が前記周囲環境内に配置される一方で、前記固定部本体の部分を、前記２つの整列した開口内に同時に受け入れるステップを含むことを特徴とする方法。
【発明の詳細な説明】
【技術分野】
【０００１】
関連技術の相互参照
本出願は、２０１０年１月６日出願の米国特許仮出願整理番号第６１，２９２／６８３号の優先権を主張するものであり、その内容は、参照により本明細書に組み込まれる。
【０００２】
本発明は、使用の間、バケツを安定化させるための装置および方法に関し、より具体的には、混合動作の間に混合用バケツが枢動することを避けるための方法および装置に関する。
【背景技術】
【０００３】
本発明は、液体または他の比較的粘稠性のある液体材料を収容する大きいバケツまたはカンを、液体内容物が混合される時間の間、回転または他の運動に対して保持することに関する。例えば、建設作業者が、グラウト、漆喰、シンセット、モルタル、壁紙用糊、セメント、または他の比較的粘稠性のある液体材料などのような、ペンキ、ドライウォールの「石膏」、または他のコーティングもしくはシーリング材料を使用するのは、一般的である。かかる材料は、しばしば粉末もしくは濃縮された液体の形態で、または輸送／保管の間に分離する傾向がある形態で得られ、かかる材料を塗布する作業者は、この材料を所望の表面に塗布する直前に、一般的に材料を混合する（元の材料に、水または別の二次的な材料を混合する可能性もある）。かかる混合は、何らかの種類のスティック型の撹拌器によって、手動で行われる場合がある。代替的に、混合は、混合の目的のために容器内に差し込まれた電動機駆動の羽根車を有する、動力式の混合装置で行われる場合がある。例えば、産業用ドリルに長いプロペラ端部付きの棒（「オーガ」）が取り付けられ、材料を混合するためにバケツ内に差し込まれる場合がある。
【０００４】
標準の大きさ（約５ガロンの容積）のプラスチックの「建築用バケツ」は、家庭の改良工事および建築産業を通して広く用いられ、これは、このタイプのほとんどの建設材料を１バッチ混合するためには都合のよい大きさである。材料を混合するためには、バケツは、地面または適切な床の表面などのような表面上に設置され、内容物が十分に均一になるまで混合される間、手作業で保持される。
【０００５】
しかしながら、この従来の作業において生じる問題の１つは、混合が、通常、混合装置の回転によって誘導される材料の円運動を発生することである。比較的粘稠性のある材料の円運動は、しばしばバケツを回転させるか、さもなければバケツを使用者に対して動かす力を生成する。この回転（または他の）運動は、混合を妨げる場合があり、混合作業の間に材料のこぼれ、または跳ねを生じる場合もある。これを避けるために、材料が混合されるとともに、バケツが枢動するのを避けるために、使用者は一般に使用者の足または下脚部の間でバケツをしっかりと保持することになる。バケツをこの様態で保持することは、材料およびバケツを通して使用者の脚に伝達される混合力のためだけでなく、混合動作を通して制御を維持するために使用者が耐えなければならない厄介な姿勢のために、使用者の負傷、腰部および脚の疲労、および／またはバランスの欠如を発生する場合がある。
【発明の概要】
【０００６】
本発明の一実施形態では、混合バケツを安定化するための装置が説明される。このバケツは、バケツの内部容積を画定する、長手方向に分離されたバケツの内部容積を画定する下側のバケツの縁と上側のバケツの縁をともなう円筒状の側壁を有する。横方向に配向されたバケツの底面は、側壁に及び、バケツの内部容積を上側のバケツ容積と下側のバケツ容積とに分離する。上側のバケツ容積は、混合される材料を収容するように構成される。少なくとも１つの開口が側壁に配置され、実質的に横方向に配向された、周囲環境と下側のバケツ容積との間の出入り口を提供する。少なくとも１つの横方向に配向された通路が、少なくとも１つの開口から延在し、下側のバケツ容積の中に配置される。細長い固定用構造物は、固定部本体によって横方向に分離された第１の固定部端部および第２の固定部端部を有する。固定用構造物は、通路内に位置付けられる少なくとも固定部本体の一部によって、バケツを取り外し可能に係合する。固定用構造物がバケツと係合されている間に、固定力は周囲環境において固定用構造物にかけられ、かつ、固定力は、バケツにかけられている混合される材料による混合力に対抗する。
【０００７】
本発明の実施形態では、混合バケツを安定化するための方法が説明される。このバケツは、長手方向に分離された、バケツの内部容積を画定する、下側のバケツの縁と上側のバケツの縁をともなう円筒状の側壁を有する。バケツの内部容積は、側面に及ぶ横方向に配向されたバケツ底面を用いて、上側のバケツ容積と下側のバケツ容積とに分離される。側壁に配置された少なくとも１つの開口が提供される。開口は、周囲環境と下側のバケツ容積との間に、実質的に横方向に配向された出入り口を提供する。少なくとも１つの開口から延在し、下側のバケツ容積内に配置された、少なくとも１つの横方向に配向された通路が提供される。混合される材料は、上側のバケツ容積内に収容される。固定部本体によって横方向に分離された第１の固定部端部および第２の固定部端部を有する、細長い固定用構造物が提供される。少なくとも固定部本体の一部を通路内に位置付けることによって、バケツは、固定用構造物に係合される。固定用構造物がバケツと係合されている間に、固定力は、周囲環境で固定用構造物にかけられる。回転エネルギーが、混合される材料にかけられる。混合力は、混合される材料とともに、バケツにかけられる。混合力は、バケツを安定化するための固定力に対抗される。
【０００８】
発明をよりよく理解するために、添付の図面を参照し得る。
【図面の簡単な説明】
【０００９】
【図１】図１は、本発明の１実施形態を含むバケツの側面図である。
【図２】図２は、図１のバケツの上面図である。
【図３Ａ】図３Ａは、図２の線「３−３」に沿ってとられた代替的な断面図である。
【図３Ｂ】図３Ｂは、図２の線「３−３」に沿ってとられた代替的な断面図である。
【図４】図４は、図１のバケツの部分側面図である。
【図５】図５は、図１のバケツの部分側面図である。
【図６】図６は、図１のバケツの、例示的使用環境での斜視図である。
【図７】図７は、図１のバケツの、例示的使用環境での斜視図である。
【図８】図８は、本発明の別の実施形態を含むバケツの底面図である。
【図９】図９は、図８のバケツの部分側面図である。
【発明を実施するための形態】
【００１０】
本発明の第１の実施形態によると、図１は、混合用バケツ１０２を安定化するため、および混合動作の間にバケツが回転するのを避けるための装置１００を図示する。用語「バケツ」は、本明細書では、液体または固体を受け取る、保持する、または搬送するための容器を示すために用いられる。図に示されるバケツ１０２は、長手方向に分離された、バケツの内部容積１１０を画定する、それぞれ下側のバケツの縁１０６と上側のバケツの縁１０８をともなう円筒状の側壁１０４を有する。横方向に配向されたバケツの底面１１２は、側壁１０４に及び、バケツの内部容積１１０を上側のバケツ容積１１４と下側のバケツ容積１１６とに分離する。ここで、「横方向」は、長手方向軸１１８に実質的に垂直な方向を参照するために用いられる。「及ぶ」は、バケツの底面１１２が、側壁１０４の全内周に実質的に接触するような方法で、バケツの内部容積１１０を横切って延在することを示すために本明細書では用いられる。上側のバケツの容積１１４は、混合される材料を収容するように、そしてそれによって、バケツ底面１１２が実質的に流体密封の様態で側壁１０４に接続されなければならないように構成される。
【００１１】
少なくとも１つの開口１２０（図１および図２では紙面と垂直に配向される、これらの図に示された２つの開口）が、側壁１０４に配置され、周囲環境と下側のバケツ容積１１６との間の側壁を貫通する、実質的に横方向に配向された出入り口を提供する。少なくとも１つの横方向に配向された通路１２２が、少なくとも１つの開口１２０から延在し、下側のバケツ容積１１６内に配置される。
【００１２】
図３Ａおよび図３Ｂは、図２の線「３−３」に沿ってとられた断面図であり、示された図において、真横からみられ、開口１２０と重ねられた、通路１２２を形成するバケツ１０２構造の互い違いの構成を図示する。図３Ａでは、通路１２２は、バケツの底面１１２から下側のバケツ容積１１６内へと長手方向に延在する、２つの長手方向に配向された横方向に離間された通路壁３２４によって形成される。通路壁３２４は、バケツの底面１１２および開口１２０と連携して、通路１２２の輪郭を描く。通路１２２は、バケツの底面１１２と一体的に（および／またはバケツ１０２の他の構造により）形成されてもよく、または別途提供された構成要素を用いてバケツ１０２に組み立てられてもよい。
【００１３】
図３Ｂでは、通路１２２は、図３Ａに示されるものと同様の通路壁３２４により形成される。しかしながら、図３Ｂのバケツ１０２は、通路壁３２４、側壁１０４、およびバケツ底面１１２と連携して下側のバケツ容積１１６を包囲する働きをする、横方向に延在する半円状の底面板３２６も含む。包囲された下側のバケツ容積１１６領域は、製造の間に原材料の節約をもたらすように（図３Ｂに示すように）中空であってもよく、または任意の所望の材料で満たされていてもよい。例えば、バケツ１０２の固定を補助するように、重みを付ける材料が包囲された下側のバケツ容積１１６領域内に持ち込まれてもよい。別の例として、バケツ底面１１２、底面板３２６、および通路壁３２４は、これら全ての構造を形成する中実の材料の塊をもたらすバケツ成形プロセスの間に、一体的に、かつ同じ材料で形成されてもよい。通路１２２、バケツ底面１１２、底面板３２６、通路壁３２４、開口１２０、およびバケツ１０２の任意の実施形態の任意の他の構造物の構成は、製造の容易さ、所望の材料の使用、混合プロセスでの使用の容易さ、または任意の他のバケツの特性を高めるために構成されてもよい。
【００１４】
図４は、見えるように露出された開口１２０をともなうバケツ１０２の部分側面図を示す。この図に示される開口１２０は、下側のバケツの縁１０６と交差して底面が開いた開口を形成する。それゆえ、図４に示す通路１２２も、底面が開いている。しかしながら、開口（図示せず）は、側壁１０４によって全体的に画定されてもよく、例えば、開口は、周囲環境と下側のバケツ容積との間に実質的に横方向に配向した出入り口を提供する、円形状または他の閉鎖型の穴であってもよいことが意図される。わずかに斜視配向にある図４で見られるように、通路１２２は、バケツの底面１１２の下側にわたって、２つの整列された開口１２０ａと１２０ｂとの間に延在する。
【００１５】
図５は、例示的な使用環境での第１の実施形態による装置１００を図示する。図５では、混合される材料５２８は、上側のバケツ容積１１４内に収容される。電動ドリル５３０は、材料５２８を混合するためにオーガ５３２を枢動するように構成される。細長い固定用構造物５３４は、固定部本体５４０によって横方向に分離された、それぞれ第１の固定部端部５３６および第２の固定部端部５３８を有する。
【００１６】
固定用構造物５３４は、装置１００の特定の用途のためにカスタム仕様で提供され得る、注文仕立てのものであってもよい。代替的には、固定用構造物５３４は、任意の標準直径のＰＶＣまたは金属のパイプ、ホース（例えば、任意の標準直径の庭園用ホースの一部）、適切な寸法のドライウォール板の一片、合板の一片、もしくは別の建設廃材のまとまっていない一片、または１”×２”、２”×２”、１”×３”、２”×３”、または任意の他の適切な寸法の公称寸法を有する規格材などのような、しかしこれに限定されない、ある長さの標準建築用製品であってもよい。しかしながら、その正確な性質にかかわらず、材料５２８の混合の間に固定用構造物５３４とバケツ１０２との相対的な動きを減少するために、固定用構造物５３４は、通路１２２内に嵌合するように選択された断面形状を有するべきである。任意選択で、固定用構造物５３４、および／または通路１２２は、固定用構造物が通路内の比較的近くに保持され（例えば、摩擦係合を介して）、かつ使用者が固定用構造物を通路から係脱するために積極的に力をかけるまで、バケツ１０２によって搬送されるように構成できる可能性がある。
【００１７】
使用時には、固定用構造物５３４は、通路１２２内に位置付けられる少なくとも固定部本体５４０の一部によって、バケツ１０２に係合する。例えば、図５に示されるように、バケツ１０２は、内側の固定部端部５３６および外側の固定部端部５３８が周囲環境内に配置される一方で、開口のうちの２つは、固定部本体５４０の部分を同時に受け入れるように側壁１０４上に整列する、少なくとも２つの開口１２０を含んでもよい。換言すれば、固定用構造物５３４がバケツと係合する一方で、第１の固定部端部５３６および第２の固定部端部５３８のうちの少なくとも１つは、突出してもよく、および／または側壁１０４を越えて半径方向外側に配置されてもよく、固定部本体５４０は、側壁の半径方向内側に配置されてもよい。
【００１８】
比較的単純な形態の係合では、選択された固定用構造物５３４は、地面として本明細書に記載される、周囲環境の表面５４２上に配置され、その後、固定用構造物の上に嵌合するように、通路１２２が長手方向に整列するようにバケツ１０２はこの固定用構造物の上に降ろされる。このようにして、下側のバケツの縁１０６は、固定用構造物５３４がバケツ１０２の部分と地面との中間に配置されるように、地面５４２の上に置かれる。例えば、庭園用タイプのホース（図示せず）は、水をバケツ１０２に供給するために使用することができる可能性があり、ホース自体の本体は、固定用構造物５３４としても使用することができる可能性がある。この例では、内側および外側の固定部端部は、固定部本体５４０として作用するホース本体部分に隣接するホースの部分とすることができる可能性があるが、ホースの終端部である必要はない。ホース内の水の存在により、固定用構造物５３４として使用するためにホースが固くなる場合があるが、中が空のホースも記載されるような固定用構造物としての使用のために適切である可能性がある。
【００１９】
より複雑な形態の係合では、第１の固定部端部５３６または第２の固定部端部５３８のいずれかは、バケツ１０２の傍らで１つの開口１２０と横方向に整列することができる可能性があり、その後固定用構造物５３４は、選択された開口１２０を通過して、通路１２２内に（任意選択で通過して）横方向に滑動することができる。この第２の係合の選択肢に対しては、バケツ１０２は、地面５４２上に置かれること、または周囲環境内で自由に保持されることが可能である。
【００２０】
図６は、地面５４２の上に置かれ、前述のように、固定用構造物５３４に係合されたバケツ１０２の部分側面図である。図６では、固定部本体５４０の、開口１２０（および、その一部が点線で示される、通路１２２）との係合がみられる。
【００２１】
バケツ１０２を安定化させるために、固定用構造物がバケツ１０２と係合されかつ固定力が混合される材料５２８によりバケツ１０２にかけられる混合力に対抗すると同時に、周囲環境で、固定用構造物５３４上に固定力がかけられる。
【００２２】
固定力を提供することができる１つの方法が、図７に示される。固定力は、重量から一時的に生じる場合があり、および／または使用者７４４により固定用構造物５３４上に取り外し可能にかけられる場合がある。図７では、重量は、使用者自身の重量であり、使用者７４４は、バケツ１０２の傍らで横方向に延在する第１の固定部端部５３６および第２の固定部端部５３８のうちの一方または両方の上に立つ。
【００２３】
固定力を提供することができる別の方法（図示せず）は、周囲環境で、別の表面に接続された固定用構造物５３４から生じる。例えば、固定用構造物５３４は、使用者７４４のために「混合ステーション」を提供するように、地面５４２もしくは別の安定した下層の表面にボルト止め、または他の方法により取り付けられる可能性がある。別の例として、固定用構造物５３４は、その表面が移動していないときに、「混合スケーション」として作用し、かつバケツの移送などのようにその表面が移動しているときに、バケツ１０２が滑動したりまたは移動したりしないように安定化させるための、２重の機能を有する可能性がある、トラックの荷台もしくは別の移動可能な下層の表面にボルト止めまたは別の方法により取り付けられる可能性がある。
【００２４】
図に示される装置１００の構成では、固定力は、混合力に応答してのみ存在するようになる反動力である。換言すれば、使用者７４４は、固定部本体５４０の少なくとも一部を通路１２２内に位置付けることによって、固定用構造物５３４およびバケツ１０２を係合状態にする。その後、使用者７４４は、第１の固定部端部５３６および第２の固定部端部５３８のうちの１つもしくは両方の、またはその近くの固定部本体５４０の上に立つことによって固定用構造物５３４を固定する。特に、開口１２０、通路１２２、および／またはバケツの別の構成要素が、固定用構造物に、長手方向で、および／または横方向で接触する場合、固定用構造物とバケツとが係合しているとき、バケツ１０２およびその中で搬送される任意の材料５２８によって、下向きの力も固定用構造物５３４にかけられてもよい。バケツ１０２と固定用構造物５３４との間の係合は、摩擦嵌めもしくはこれら２つの構造物の間の他の（一時的または永久的な）接触などのような、能動的な係合であってもよく、または、バケツおよび固定用構造物が少なくとも部分的に通路内に配置されるが、しかし混合力に対抗し、バケツの回転を阻止する固定力が必要となるまでこれら２つの構造物とは接触せずに固定用構造物と近接して配置されるような、受動的な係合であってもよいことが意図される。
【００２５】
回転エネルギーが、例えば、ドリル５３０の動きを通してオーガ５３２を材料内で回転することにより、混合される材料５２８にかかる。材料５２８が混合されるとともに、オーガ５３２からの比較的粘稠性のある材料を通したエネルギーの伝達などにより、混合力はバケツ１０２にかかる。この混合力は、通常、安定化されていないバケツ（図示せず）が回転運動するように付勢することになり、これは、一般に先行技術のバケツにおいて望ましくない。しかしながら、本装置１００の固定用構造物５３４と通路１２２との間の係合、および装置にかかる固定力は、混合力に対抗し、かつ材料５２８が混合されるとともに少なくともバケツの回転運動を避けるようにバケツ１０２を安定化させる、固定力を発生させる。
【００２６】
混合作業が完了したとき、バケツ１０２は、所望の材料使用場所への材料５２８の移送のために、固定用構造物５３４から係脱されてもよい。装置１００は、バケツ１０２からの横方向の突起部を有しないので、固定用構造物５３４が係合していない場合、バケツは積み重ね、入れ子にし、および／または別の方法で、空であろうと満杯であろうと、既知の（安定化されていない）建設用バケツと同様に用い、また取り扱うことができる。特に、固定用構造物５３４が、建設現場にすでに存在している可能性が高い、ある長さの標準の建設用製品であるとき、装置１００は、使用者７４４による最低限の事前計画のもとに用いられてもよく、このため、使用者が建設現場において提供しなければならない工具および用具の数を減らす一助となる。しかしながら、たとえ注文仕立ての固定用構造物５３４であっても、本発明の多くの用途に対して、特に先行技術のバケツ回転防止安定化装置と比較して、比較的単純かつ移送可能な物品とできる可能性がある。
【００２７】
図８および図９は、本発明の第２の実施形態にしたがう、装置１００’を図示する。
図８および図９の装置１００’は、図１〜図７の装置１００と同様であり、したがって、図１〜図７を参照して説明されたものと同じまたは同様である図８および図９の構造は、「’」を追加した同じ参照番号を有する。共通な要素および前述の第１の実施形態でのものと同様の動作の説明は、第２の実施形態については繰り返されない。
【００２８】
図８は、十文字型の通路８４６を有するバケツ１０２’の底面図である。第２の実施形態の装置１００’は、図３Ｂに示されるものと同様に構築される。十文字型の通路８４６のくぼんだ部分は、バケツ底面１１２’の下部である。複数の開口１２０’は、側壁１０４’の外周を中心として９０°離隔して配置される。Ｌ字型通路壁３２４’は、装置１２０’を接続して、十字型通路８４６を形成する。通路壁３２４’は、丸みをつけた中央角部８４８を有するように図示されるが、角部は、任意の輪郭／外形を有してもよい。複数の底面板３２６’が下側のバケツ容積１１６の、十文字型通路８４６によって占有されていない部分を包囲する。
【００２９】
図９は、十文字型通路８４６の２つの隣接する開口１２０’を示す、バケツ１０２’の側面図である。十文字型通路８４６は、１つまたはいくつかの異なる構成を有する固定用構造物（図示せず）とともに用いることができる。例えば、第１の実施形態の図５〜図７において５３４で示されるもののような一直線状の固定用構造物は、対向して並べられた開口１２０’に、バケツの底面１１２’に対して２つの直交した位置のうちの１つで係合できる可能性がある。固定用構造物に対する、２つの直行して配向された係合位置の利用可能性は、バケツ１０２’を用意する使用者が、最低限の手作業による差し込みにより係合する（例えば、バケツを地面上の固定用構造物と向きを合わせるために手首の動きが必要になる）のを助ける場合があり、これは、バケツ内の材料が非常に重いとき、使用者にとって特に役立つ。
【００３０】
代替的に、十文字型の固定用構造物（図示せず）は、図８および図９に示す４つの開口１２０’全てを同時に係合できる可能性がある。当業者は、Ｌ字型またはＴ字型の固定用構造物（図示せず）を提供できる可能性があり、これらは、（それぞれ）２つまたは３つの隣接する開口１２０’を係合できる可能性がある。当業者は、任意の所望の数の開口を有する通路、および／または本明細書で説明した任意の実施形態のための適切に係合する固定用構造物を、本発明の教示から逸脱することなく、容易に提供できる可能性がある。例えば、通路１２２、８４６は、バケツの底面１１２に対して非対称的に（中心を外れるなどのように）配置できる可能性があり、湾曲する、曲線を成す、または任意の他の形状とすることができる可能性があり、および／または固定用構造物５３４を通路内に取り付けることができるように、ロック機能を含むことができる可能性がある。
【００３１】
本発明の任意の実施形態に対して、および通路１２２、８４６が形成される方法にかかわらず、バケツ底面１１２は、上側のバケツ容積内の混合される材料が一様でないバケツの底面の角部または他の構造部に不均等に蓄積しないように、上側のバケツの容積１１４に隣接して比較的滑らかかつ平坦な表面を呈することが意図される。しかしながら、当業者は、本発明の特定の用途のために、バケツの底面１１２が上側のバケツの容積１１４に隣接して比較的不均一な表面を提供する構成（図示せず）を含む、適切に構成されたバケツの底面１１２を提供することができる。
【００３２】
本発明の態様は、上記の好適な実施形態を参照して特に示され、かつ説明されてきたが、本発明の精神および範囲から逸脱することなく、様々な追加的な実施形態が意図されてもよいことが、当業者によって理解されるであろう。例えば、１つ以上の端部が閉止された通路（図示せず）が、固定用構造物５３４の一端のみを受け入れるように、単一の開口１２０からバケツの底面１１２の下側の一部のみにわたって延在できる可能性があり、この場合、複数の固定用構造物が提供できる可能性がある。説明された構成要素のうちのいずれかは、一体的に形成する、または分離された部品から組み立てることができ、かつ所望に応じて、任意の単一の材料、または材料の組み合わせで、また任意の所望される形状もしくは構成で作成されてもよい。装置１００のほとんどの用途において、開口１２０は、通路１２２の断面と同様な形状を有するであろうことが意図されるが、かかることは本発明では要求されない。固定用構造物５３４は、通路１２２に一時的にもしくは永久的に取り付けられる可能性がある。バケツ１０２および材料５２８の重量は、装置１００が係合されたとき、主に下側のバケツの縁１０６の上に、主に通路１２２の上に、または両方に部分的に置かれる可能性がある。一直線状の通路１２２、および十文字型の通路８４６がここでは説明され、かつ図示されているが、本発明の特定の用途のために、角度付きの、湾曲した、曲線を成した、または任意の他の所望の通路構成が追加的にまたは代替的に提供されてもよい。バケツ１０２は、移送、保管などのために、固定用構造物５３４をバケツに（使用位置に、または不使用位置に）取り付けるためにブラケット、クリップ、ホルダー、または他の構造物を含むことができる可能性がある。例えば、固定用構造物５３４は、バケツのために、固定のために使用されていないときに、運搬用ハンドルの全体または部分を形成することができる可能性があり、通路１２２は、これに従って構成することができる可能性がある。下記の特許請求の範囲、および任意のそれらの均等物に基づいて決定されるように、これらの特徴のうちのいずれかに関する装置または方法が、本発明の範囲に包含されることが、理解されるべきである。
【００３３】
本発明の他の態様、目的、および優位点は、図面、開示、および添付の特許請求の範囲を研究することにより得ることができる。
【図１】
2013516318.tif 000003
【図２】
2013516318.tif 000004
【図３Ａ】
2013516318.tif 000005
【図３Ｂ】
2013516318.tif 000006
【図４】
2013516318.tif 000007
【図５】
2013516318.tif 000008
【図６】
2013516318.tif 000009
【図７】
2013516318.tif 000010
【図８】
2013516318.tif 000011
【図９】
2013516318.tif 000012
【国際調査報告】
2013516318.tif 000013
2013516318.tif 000014